(57)【要約】【課題】画像の送受信においてセキュリティを高め、かつ、文書の識別や取り扱いを容易にすることができる画像送受信システムを実現する。【解決手段】暗号化に用いる暗号化データを作成する暗号化データ作成部２３と、元画像データと前記暗号化データとを処理することで暗号化画像データを作成する暗号化画像作成部２２とを備えた画像変換装置２０であって、前記暗号化データは、前記元画像データにおける一部の画像領域の暗号化に用いるマスクデータであるので、ユーザがセキュリティを高めたいと思われる画像領域のみに暗号化を行うことで、任意の強度でセキュリティを高めることできる。【選択図】図２
2008283496.tif 000002
【特許請求の範囲】
【請求項１】
暗号化に用いる暗号化データを作成する暗号化データ作成手段と、
元画像データおよび前記暗号化データに基づいて暗号化画像データを作成する暗号化画像作成手段とを備えた画像暗号化装置であって、
前記暗号化データは、前記元画像データにおける一部の画像領域の暗号化に用いるマスクデータであることを特徴とする画像暗号化装置。
【請求項２】
請求項１に記載の画像暗号化装置と、
前記元画像データを入力する画像入力手段と、
前記暗号化データを出力する第１の出力手段と、
前記暗号化画像データを出力する第２の出力手段とを備えることを特徴とする画像出力装置。
【請求項３】
前記第１の出力手段は、通信ネットワークを介して暗号化データを送信する送信手段であり、
前記第２の出力手段は、暗号化画像データをファクシミリ送信する送信手段であることを特徴とする請求項２に記載の画像出力装置。
【請求項４】
前記第１の出力手段または前記第２の出力手段のうち少なくとも一方は、外部メモリにデータを書き込みする外部メモリ出力手段であることを特徴とする請求項２に記載の画像出力装置。
【請求項５】
暗号化データと、該暗号化データを用いて元画像データが暗号化された暗号化画像データとを入力する入力手段と、
前記暗号化データおよび前記暗号化画像データに基づいて元画像データを復号化する画像復号化手段とを備えた画像復号化装置であって、
前記暗号化データは、前記暗号化画像データにおいて暗号化された一部の画像領域の復号化に用いるマスクデータであることを特徴とする画像復号化装置。
【請求項６】
請求項５に記載の画像復号化装置と、
復号化した前記元画像データを出力する画像出力手段とを備えており、
前記入力手段は、
前記暗号化データを入力する第１の入力手段と、
前記暗号化画像データを入力する第２の入力手段とを備えることを特徴とする画像入力装置。
【請求項７】
前記第１の入力手段は、通信ネットワークを介して暗号化データを受信する受信手段であり、
前記第２の入力手段は、暗号化画像データをファクシミリ受信する受信手段であることを特徴とする請求項６に記載の画像入力装置。
【請求項８】
前記第１の入力手段または前記第２の入力手段のうち少なくとも一方は、外部メモリからデータを読み込みする外部メモリ入力手段であることを特徴とする請求項６に記載の画像入力装置。
【請求項９】
暗号化に用いる暗号化データを作成する暗号化データ作成ステップと、
元画像データおよび前記暗号化データに基づいて暗号化画像データを作成する暗号化画像作成ステップとを備えた画像暗号化方法であって、
前記暗号化データは、前記元画像データにおける一部の画像領域の暗号化に用いるマスクデータであることを特徴とする画像暗号化方法。
【請求項１０】
暗号化データと、該暗号化データを用いて元画像データが暗号化された暗号化画像データとを入力する入力ステップと、
前記暗号化データおよび前記暗号化画像データに基づいて元画像データを復号化する画像復号化ステップとを備えた画像復号化方法であって、
前記暗号化データは、前記暗号化画像データにおいて暗号化された一部の画像領域の復号化に用いるマスクデータであることを特徴とする画像復号化方法。
【請求項１１】
送信側に、
前記元画像データを入力する画像入力手段と、
暗号化に用いる暗号化データを作成する暗号化データ作成手段と、
元画像データおよび前記暗号化データに基づいて暗号化画像データを作成する暗号化画像作成手段と、
前記暗号化データを出力する第１の出力手段と、
前記暗号化画像データを出力する第２の出力手段とを備え、
受信側に、
前記暗号化データを入力する第１の入力手段と、
前記暗号化画像データを入力する第２の入力手段と、
前記暗号化データおよび前記暗号化画像データに基づいて前記元画像データを復号化する画像復号化手段と、
復号化した前記元画像データを出力する画像出力手段とを備え、
前記暗号化データは、前記暗号化画像データにおいて暗号化された一部の画像領域の復号化に用いるマスクデータであることを特徴とする画像送受信システム。
【請求項１２】
前記第１の出力手段および前記第１の入力手段は、通信ネットワークを用いてメールデータの入出力を行い、
前記第２の出力手段および前記第２の入力手段は、ファクシミリ通信回線を用いてファクシミリデータの入出力を行うことを特徴とする請求項１１に記載の画像送受信システム。
【請求項１３】
請求項１に記載の画像暗号化装置を動作させるためのプログラムであって、コンピュータを上記の各手段として機能させるためのプログラム。
【請求項１４】
請求項５に記載の画像復号化装置を動作させるためのプログラムであって、コンピュータを上記の各手段として機能させるためのプログラム。
【請求項１５】
請求項１３または１４に記載のプログラムが記録されたコンピュータ読み取り可能な記録媒体。
【発明の詳細な説明】
【技術分野】
【０００１】
本発明は、送受信する画像データのセキュリティを高めた画像暗号化装置、画像出力装置、画像復号化装置、画像入力装置、画像暗号化方法、画像復号化方法、画像送受信システム、プログラム、および記憶媒体に関するものである。具体的には、本発明は、ファクシミリ送信する画像データのセキュリティを高めた画像暗号化装置などに関するものである。
【背景技術】
【０００２】
従来、ファクシミリ（以下、ＦＡＸ）装置による電話回線を用いた画像の送受信が広く使われている。受信した画像は、通常、感熱紙または普通紙などに印刷して出力されるが、近年、紙に印刷せずに画像データとしてメモリに記憶するＦＡＸ装置も増加している。
【０００３】
ＦＡＸ装置では、受信先の電話番号を指定することで、直接受信先のＦＡＸ装置へ画像を送信するので、郵便や電子メールなどと比較して通信途中の段階で他人に盗み見られることに対するセキュリティが高く、部外者に情報が漏洩する可能性が低いものと考えられている。
【０００４】
しかしながら、ＦＡＸ装置から出力された印刷紙や、ＦＡＸ装置内のメモリに保存したデータを覗き見することで、ＦＡＸ装置が設置された建物内部でのセキュリティの確保について懸念される。特に、同じ建物やフロア内で共用のＦＡＸ装置を利用している場合、他社、他部署、他部門、その他の部外者の目に触れる可能性が高いと考えられる。
【０００５】
引用文献１では、上記の問題を解決するために、画像データに暗証番号を登録し、画像メモリに蓄積された画像データを暗号化し、暗証番号を入力することで画像データを復元するファクシミリ装置が開示されている。
【０００６】
また、引用文献２では、送信側のパソコンにて秘密値を用いて秘密文書データを暗号化画像データとし、ＦＡＸ装置を用いて印刷した暗号化画像データを送信し、受信した暗号化画像データをスキャナによりパソコンに取り込み、秘密値を入力することで秘密文書データを復元し、秘密印刷物を受信側で印刷する印刷システムが開示されている。
【特許文献１】特開２０００−２４４７５３号公報（２０００年９月８日公開）
【特許文献２】特開２００６−１２３３０４号公報（２００６年５月１８日公開）
【発明の開示】
【発明が解決しようとする課題】
【０００７】
しかしながら、上記従来の構成では、暗号化した画像のセキュリティは高められるが、送信された画像の内容が一見して分からないという問題を生じる。送信された画像の内容が一見して分からないことは、セキュリティの面では利点となるが、送信元が誰か判別できない、送信先が誰か判別できない、一見して内容を判別することができないなどの秘匿性による不便さが発生する。
【０００８】
送信元の電話番号や、送信時間といった情報から送信元の情報を類推することは可能であるが、送信元が同じで部署や発信者のみが異なる場合や、同じような時間帯に複数のＦＡＸ通信が行われていた場合に、送信元を判別するのは困難である。
【０００９】
本発明は、上記の問題点に鑑みてなされたものであり、その目的は、画像の送受信において、セキュリティを高め、かつ、文書の識別や取り扱いを容易にした画像暗号化装置、画像出力装置、画像復号化装置、画像入力装置、画像暗号化方法、画像復号化方法、画像送受信システム、プログラム、および記憶媒体を実現することにある。
【課題を解決するための手段】
【００１０】
本発明に係る画像暗号化装置は、上記課題を解決するために、暗号化に用いる暗号化データを作成する暗号化データ作成手段と、元画像データおよび前記暗号化データに基づいて暗号化画像データを作成する暗号化画像作成手段とを備えた画像暗号化装置であって、前記暗号化データは、前記元画像データにおける一部の画像領域の暗号化に用いるマスクデータであることを特徴としている。
【００１１】
上記の構成によれば、暗号化データ作成手段が元画像データの暗号化に用いる、いわゆる暗号化キーとして暗号化データを作成する。この暗号化データは、元画像データの一部を暗号化するために用いるマスクデータである。マスクデータは、元画像データの一部の画像領域の暗号化および復号化に用いられる。
【００１２】
暗号化画像作成手段は、元画像データおよびマスクデータに基づいて暗号化を施した新たな画像作成を行う。マスクデータは、元画像データの一部の画像領域に対応して作成される。これによって、元画像データの一部の画像領域に対して暗号化を行うことができる。暗号化画像データの暗号化された画像範囲は、ユーザが目視によって内容を確認できないようになる。
【００１３】
元画像データが暗号化された暗号化画像データは、マスクデータ用いて暗号化と逆の手順の処理を行うことによって復号化することができる。
【００１４】
以上の構成により、特にユーザがセキュリティを高めたいと思われる画像領域のみに暗号化を行うことで、受信する側にとって必要とされる情報は暗号化を行わず、ユーザの任意の強度でセキュリティを高めることできる。
【００１５】
これによって、セキュリティを高め、かつ、文書の識別や取り扱いを容易にすることができるというさらなる効果を奏する。
【００１６】
上記の画像暗号化装置と、前記元画像データを入力する画像入力手段と、前記暗号化データを出力する第１の出力手段と、前記暗号化画像データを出力する第２の出力手段とを備えることで画像出力装置を構成することができる。
【００１７】
上記の構成によれば、ユーザは同一の画像出力装置を用いて、画像入力手段によって元画像データを入力し、第１の出力手段によって暗号化データを出力し、第２の出力手段を用いて暗号化画像データを出力することができる。そのため、２つの経路を用いて別々に、単独では意味を持たないセキュリティを高めたデータを送信することができるので、ユーザにとっては容易な操作でセキュリティの高い画像送信が可能になるというさらなる効果を奏する。
【００１８】
本発明の画像出力装置では、前記第１の出力手段は、通信ネットワークを介して暗号化データを送信する送信手段であり、前記第２の出力手段は、暗号化画像データをファクシミリ送信する送信手段であることが好ましい。
【００１９】
また、本発明に係る画像出力装置では、前記第１の出力手段または前記第２の出力手段のうち少なくとも一方は、外部メモリにデータを書き込みする外部メモリ出力手段であることが好ましい。
【００２０】
上記第１または第２の出力手段が外部メモリ出力手段であることにより、第１または第２の出力経路を介したデータ出力を外部の装置が行う場合であっても、ユーザにとって容易な操作で、画像出力装置から必要なデータの出力を行うことができるというさらなる効果を奏する。
【００２１】
本発明に係る画像復号化装置は、上記課題を解決するために、暗号化データと、該暗号化データを用いて暗号化された暗号化画像データとを入力する入力手段と、前記暗号化データおよび前記暗号化画像データに基づいて元画像データを復号化する画像復号化手段とを備えた画像復号化装置であって、前記暗号化データは、前記暗号化画像データにおいて暗号化された一部の画像領域の復号化に用いるマスクデータであることを特徴としている。
【００２２】
上記の構成によれば、入力手段が元画像データの復号化に用いる、いわゆる復号化キーの入力を受け付ける。この復号化データは、暗号化画像データから元画像データを復元するために用いるマスクデータである。マスクデータは、元画像データの一部の画像領域の暗号化および復号化に用いられる。
【００２３】
また、入力手段は、暗号化画像データの入力を受け付ける。暗号化画像データは、元画像データの一部の画像領域に対して暗号化が行われており、暗号化画像データの暗号化された画像範囲は、ユーザが目視によって内容を確認できないようになっている。
【００２４】
元画像データが暗号化された暗号化画像データは、マスクデータ用いて暗号化と逆の手順の処理を行うことによって復号化することができる。
【００２５】
以上の構成により、特にユーザがセキュリティを高めたいと思われる画像領域のみに暗号化を行うことで、受信する側にとって必要とされる情報は暗号化を行わず、ユーザの任意の強度でセキュリティを高めた受信を行うことできる。
【００２６】
これによって、セキュリティを高め、かつ、文書の識別や取り扱いを容易にすることができるというさらなる効果を奏する。
【００２７】
上記の画像復号化装置と、復号化した前記元画像データを出力する画像出力手段とを備えており、前記入力手段は、前記暗号化データを入力する第１の入力手段と、前記暗号化画像データを入力する第２の入力手段とを備えることで画像入力装置を構成することができる。
【００２８】
上記の構成によれば、ユーザは同一の画像入力装置を用いて、第１の入力手段によって暗号化データを入力し、第２の入力手段によって暗号化画像データを入力し、画像出力手段によって復号化した元画像データを出力することができるので、２つの入力経路を用いて別々に、単独では意味を持たないセキュリティを高めたデータを入力することができるので、ユーザにとっては容易な操作でセキュリティの高い画像入力が可能になるというさらなる効果を奏する。
【００２９】
上記の画像入力装置では、前記第１の入力手段は、通信ネットワークを介して暗号化データを受信する受信手段であり、前記第２の入力手段は、暗号化画像データをファクシミリ受信する受信手段であることが好ましい。
【００３０】
また、本発明に係る画像入力装置では、前記第１の入力手段または前記第２の入力手段のうち少なくとも一方は、外部メモリからデータを読み込みする外部メモリ入力手段であることが好ましい。
【００３１】
前記第１の入力手段または前記第２の入力手段のうち少なくとも一方は、外部メモリからデータを読み込みする外部メモリ入力手段であることにより、例えば、外部の装置を使用して第１または第２の入力手段を介して入力したデータが上記画像入力装置に入力される場合であっても、外部の機器で入力したデータをユーザによって上記画像入力装置に入力するのが容易になるというさらなる効果を奏する。
【００３２】
本発明に係る画像暗号化方法は、上記課題を解決するために、暗号化に用いる暗号化データを作成する暗号化データ作成ステップと、元画像データおよび前記暗号化データに基づいて暗号化画像データを作成する暗号化画像作成ステップとを備えた画像暗号化方法であって、前記暗号化データは、前記元画像データにおける一部の画像領域の暗号化に用いるマスクデータであることを特徴としている。
【００３３】
上記の構成によれば、暗号化データ作成ステップにおいて、元画像データの暗号化に用いる、いわゆる暗号化キーとして暗号化データを作成する。この暗号化データは、元画像データの一部を暗号化するために用いるマスクデータである。マスクデータは、元画像データにおける一部の画像領域の暗号化および復号化に用いられる。
【００３４】
暗号化画像作成ステップでは、元画像データおよびマスクデータの暗号化処理を行う。これによって、元画像データの一部の画像領域に対して暗号化を行うことができる。暗号化画像データの暗号化された画像範囲は、ユーザが目視によって内容を確認できないようになる。
【００３５】
元画像データが暗号化された暗号化画像データは、マスクデータ用いて暗号化と逆の手順の処理を行うことによって復号化することができる。
【００３６】
以上の構成により、特にユーザがセキュリティを高めたいと思われる画像領域のみに暗号化を行うことで、受信する側にとって必要とされる情報は暗号化を行わず、ユーザの任意の強度でセキュリティを高めることできる。
【００３７】
これによって、セキュリティを高め、かつ、文書の識別や取り扱いを容易な画像変換方法を実現することができるというさらなる効果を奏する。
【００３８】
本発明に係る画像復元化方法は、上記課題を解決するために、暗号化データと、該暗号化データを用いて暗号化された暗号化画像データとを入力する入力ステップと、前記暗号化データおよび前記暗号化画像データに基づいて元画像データを復号化する画像復号化ステップとを備えた画像復号化方法であって、前記暗号化データは、前記暗号化画像データにおいて暗号化された一部の画像領域の復号化に用いるマスクデータであることを特徴としている。
【００３９】
上記の方法によれば、入力ステップで元画像データの復号化に用いる、いわゆる復号化キーの入力を受け付ける。この復号化データは、暗号化画像データから元画像データを復元に用いるマスクデータである。マスクデータは、元画像データの一部の画像領域を暗号化および復号化に用いられる。
【００４０】
また、入力ステップでは、暗号化画像データの入力を受け付ける。暗号化画像データは、元画像データの一部の画像領域に対して暗号化が行われており、暗号化画像データの暗号化された画像範囲は、ユーザが目視によって内容を確認できないようになっている。
【００４１】
復号化ステップでは、元画像データが暗号化された暗号化画像データは、マスクデータ用いて暗号化と逆の手順の処理を行うことによって復号化される。
【００４２】
以上の手順により、特にユーザがセキュリティを高めたいと思われる画像領域のみに暗号化を行うことで、受信する側にとって必要とされる情報は暗号化を行わず、ユーザの任意の強度でセキュリティを高めた受信を行うことできる。
【００４３】
これによって、セキュリティを高め、かつ、文書の識別や取り扱いを容易にすることができるというさらなる効果を奏する。
【００４４】
送信側に、前記元画像データを入力する画像入力手段と、暗号化に用いる暗号化データを作成する暗号化データ作成手段と、元画像データおよび前記暗号化データに基づいて暗号化画像データを作成する暗号化画像作成手段と、前記暗号化データを出力する第１の出力手段と、前記暗号化画像データを出力する第２の出力手段とを備え、受信側に、前記暗号化データを入力する第１の入力手段と、前記暗号化画像データを入力する第２の入力手段と、前記暗号化データおよび前記暗号化画像データに基づいて前記元画像データを復号化する画像復号化手段と、復号した前記元画像データを出力する画像出力手段とを備え、前記暗号化データは、前記暗号化画像データにおいて暗号化された一部の画像領域の復号化に用いるマスクデータであることで、画像送受信システムを構成することができる。
【００４５】
上記の画像送受信システムでは、前記第１の出力手段および前記第１の入力手段は、通信ネットワークを用いてメールデータの入出力を行い、前記第２の出力手段および前記第２の入力手段は、ファクシミリ通信回線を用いてファクシミリデータの入出力を行うことが好ましい。
【００４６】
なお、上記の画像暗号化方法および画像復号化方法を、コンピュータの制御によりコンピュータ上で実行させることができる。さらに、上記画像変換プログラムをコンピュータ読み取り可能な記録媒体に記憶させることにより、任意のコンピュータ上で上記画像送受信システムを実行させることができる。
【発明の効果】
【００４７】
本発明の画像暗号化装置は、以上のように、暗号化に用いる暗号化データを作成する暗号化データ作成手段と、元画像データおよび前記暗号化データに基づいて暗号化画像データを作成する暗号化画像作成手段とを備えた画像暗号化装置であって、前記暗号化データは、前記元画像データにおける一部の画像領域の暗号化に用いるマスクデータである。
【００４８】
また、本発明の画像復号化装置は、以上のように、暗号化データと、該暗号化データを用いて暗号化された暗号化画像データとを入力する入力手段と、前記暗号化データおよび前記暗号化画像データに基づいて元画像データを復号化する画像復号化手段とを備えた画像復号化装置であって、前記暗号化データは、前記暗号化画像データにおいて暗号化された一部の画像領域の復号化に用いるマスクデータである。
【００４９】
上記の構成により、特にユーザがセキュリティを高めたいと思われる画像領域のみに暗号化を行うことで、受信する側にとって必要とされる情報は暗号化を行わず、ユーザの任意の強度でセキュリティを高めることできる。これによって、画像の送受信においてセキュリティを高め、かつ、文書の識別や取り扱いを容易にすることができるという効果を奏する。
【発明を実施するための最良の形態】
【００５０】
本発明の一実施形態について図１ないし図８に基づいて説明すると以下の通りである。
【００５１】
図１は、本発明の実施例を示す画像送受信システム１の機能ブロック図である。画像送受信システム１は、画像送信装置１０、通信ネットワーク（第１の通信回線）３２、電話回線（第２の通信回線）３４、メモリカード（外部メモリ）３６、画像受信装置４０、およびＰＣ（Personal Computer）６０を備えている。以下、詳細を説明する。
【００５２】
画像送信装置１０は、画像変換装置（画像暗号化装置）２０、メール通信部２４、ＦＡＸ通信部２６、および画像入力部（画像入力手段）２８を備えている。画像変換装置２０は、さらに、暗号化画像作成部（暗号化画像作成手段）２２および暗号化データ作成部（暗号化データ作成手段）２４を備えている。なお、本実施形態では、画像送信装置１０の具体例としてＦＡＸ送信装置を例にあげて説明するが、これに限るものではない。画像変換装置２０や、画像入力部２８や、暗号化データおよび暗号化画像データを送信する別系統に分かれた通信部など、同様の機能部を備えた送信装置であれば、どのような送信装置であってもよい。
【００５３】
暗号化画像作成部２２は、暗号化データ作成部２３および画像入力部２８から入力されたデータを暗号化して、人間には一見何が描かれているのか分からないような暗号化画像を作成する。暗号化データ作成部２３は、入力された元画像データの暗号化に用いるマスクデータを作成する。暗号化に用いるマスクデータの作成方法について、詳細は後述する。
【００５４】
メール通信部２４は、通信ネットワーク３２を介して、暗号化データ作成部２３で作成された暗号化データを受信先のＰＣ６０に送信するための制御を行う。また、ＦＡＸ通信部２６は、電話回線３４を介して、暗号化画像作成部２２で作成された暗号化画像を受信先の画像受信装置４０に送信するための制御を行う。
【００５５】
受信先のＰＣ６０は、メール通信部６２およびメモリカード書込部６４を備えている。メール通信部６２は、送信元の画像送信装置１０から通信ネットワーク３２を介して送信された暗号化データを受信するための制御を行う。メモリカード書込部６４は、メール通信部６２で受信された暗号化データを、外部のメモリカード３６に書き込みする。
【００５６】
なお、ここではメモリカード３６として、ＵＳＢ端子に接続するＵＳＢメモリを例にあげて説明するが、これに限るものではない。ＬＡＮ（Local Area Network）やその他のケーブルで直接必要なデータを受信する形態であってもよい。暗号化データを容易に画像受信装置４０内に入力することができる入出力デバイスであれば、どのようなデバイスであってもよい。
【００５７】
受信先の画像受信装置４０（本実施形態ではＦＡＸ受信装置）は、画像変換装置（画像復号化装置）５０、暗号化画像入力部５４、暗号化データ入力部５６、および画像出力部５８を備えている。画像変換装置５０は、さらに、暗号化画像復号部５２を備えている。
【００５８】
暗号化画像入力部５４は、電話回線３４を介して受信した暗号化画像データを画像変換装置５０に入力する。暗号化データ入力部５６は、ＰＣ６０によって受信され、メモリカード３６に保存された暗号化データを読み出して、画像変換装置５０に入力する。
【００５９】
画像変換装置５０に入力された暗号化画像データおよび暗号化データは、暗号化画像復号部５２に入力され元画像データに復元される。復元された元画像データは、画像出力部５８によってユーザに出力される。
【００６０】
次に、本実施形態の画像送受信システム１で行われるデータの変換および送受信について、具体的な画像データの流れに基づいて全体像を説明する。図２は、本発明の一実施例を示す画像送受信システム１の全体像を示す概念図である。
【００６１】
まず、送信する画像である元画像１２が、本発明の画像送信装置１０（ここではＦＡＸ送信装置）の画像入力部２８に入力される。画像入力部２８は、元画像１２を読み取って画像変換装置２０に画像データとして入力する。
【００６２】
画像変換装置２０は、入力された画像データを暗号化画像作成部２２に入力し、暗号化データ作成部２３で作成された暗号化データ、ここでは、マスク画像１４を用いて入力された画像データの画像領域の一部を暗号化する処理を行い、暗号化画像１６を作成する。なお、マスク画像１４内の模様がついた領域が、暗号化処理を行うマスク部分である。
【００６３】
暗号化画像１６では、元画像１２とマスク画像１４とが処理されることによって、元画像１２内の通信文「E-mail」以降の文章が暗号化され、ユーザが一目で内容を理解することができない画像状態になっている。なお、マスク領域については、送信する元画像１２に合わせて適時指定してもよいし、あらかじめマスクする部分とマスクしない部分を設定したＦＡＸ送付書のテンプレートが準備してあってもよい。
【００６４】
上記の手順で作成された暗号化画像１６は、電話回線３４を介して受信側の画像受信装置４０内の暗号化画像復号部５２に入力される。また、マスク画像１４は、通信ネットワーク３２を介して受信側のＰＣ６０にメールデータとして送信され、メモリカード３６を経由して画像受信装置４０の暗号化画像復号部５２に入力される。
【００６５】
暗号化画像復号部５２は、入力されたマスク画像１４および暗号化画像１６を用いて、暗号化と逆の手順で暗号化画像１６を元画像１２に復元する。復元された元画像１２は、画像出力部５８によってユーザが確認できる形式に変換される。
【００６６】
ここでは、印刷装置によって紙にプリントアウトする例をあげるが、これに限るものではない。メモリ上で確認可能な画像形式に変換し、ディスプレイ上で元画像１２の内容を確認してもよいし、一般的な画像フォーマットに変換してメモリカード３６に保存して、ＰＣ６０上で内容を確認するものであってもよい。
【００６７】
次に、図３を参照して、本システムで用いられる画像送信装置１０におけるハードウェアの構成について、概要を説明する。図３は、本システムの画像送信装置１０におけるハードウェア構成の概略を示すブロック図である。
【００６８】
本システムの画像送信装置１０は、主制御部８１、乱数発生部８２、画像処理部８３、外部メモリ接続部８４、Ｕ／Ｉ（ユーザインタフェース）８５、スキャナ部８６、メモリ８７、ＲＯＭ（Read Only Memory）８８、ＦＡＸモデム８９、およびＬＡＮ制御部（ＭＡＣ／ＰＨＹ）９０を備えている。
【００６９】
主制御部８１は、各ハードウェアの制御やデータの計算および送受信などを行う中央処理装置である。乱数発生部８２は、時間などを乱数発生源として用いて暗号化に用いる乱数を発生させる処理部である。画像処理部８３は、暗号化画像作成部２２などが暗号化のために行う元画像１２およびマスク画像１４の暗号化処理や、取り込んだ画像をＦＡＸで送信できる画像形式に変換する処理などを行う処理部である。
【００７０】
外部メモリ接続部８４は、ＵＳＢメモリやメモリカードなどの外部メモリデバイスの読み出し／書き込みの制御を行う処理部および入出力デバイスである。Ｕ／Ｉ８５は、ユーザへの各種情報の通知を行う表示部や、ユーザからの指示を入力するための操作入力部などの入出力インタフェースである。
【００７１】
スキャナ部８６は、画像入力部２８などに入力される画像データをスキャニングする光学スキャナ装置である。メモリ８７は、様々な処理途中のデータを一時保存し、また、受信したＦＡＸ画像データを蓄積するための記憶デバイスである。ＲＯＭ８８は、画像送信装置１０の各機能部で行なわれる処理をプログラムや制御コマンドの状態で読み込み専用の形式で保存しておく記憶デバイスである。
【００７２】
ＦＡＸモデム８９は、公衆電話回線（Public Switched Telephone Network）を介してＦＡＸ画像データの送受信を行うための通信制御デバイスである。ＬＡＮ制御部９０は、ローカルエリアネットワークなどを介してネットワーク内のコンピュータや、他の電子機器とデータのやり取り、特にメールおよび添付ファイルデータのやり取りを行うための通信制御デバイスである。
【００７３】
これらのハードウェアの各機能部は、図１〜２で説明した各機能ブロックの持つ機能を実現するように画像送信装置１０内で動作する。
【００７４】
図４を参照して、画像送信装置１０で用いられるアドレス帳の保存データ形式について説明する。図４は、アドレス帳データの一例を示す表である。
【００７５】
本実施形態で用いるアドレス帳は、名前、電話番号、ＦＡＸ番号、およびメールアドレスの各項目が対応付けられて記憶されている。ここでは、「Ｓ社  太郎」という名前、「０７４３−ｘｘ−ｏｏｏｏ」という電話番号、「０７４３−ｘｘ−ｘｘｘｘ」というＦＡＸ番号、「ｔａｒｏ＠ｓ．ｃｏ．ｊｐ」というメールアドレスが対応付けられてデータベースとして記録されている。なお、受信側で用いる通信先のデータ形式については、後述する。
【００７６】
次に、図５および図６を用いて、本システムで行う処理の手順について概略を説明する。図５は、画像送受信システム１において、画像送信装置１０が暗号化画像１６を送信する手順を示したフロー図である。図６は、画像送受信システム１において、画像受信装置４０が暗号化画像１６を受信する際の処理の手順を示したフロー図である。
【００７７】
まず、図５を用いて暗号化画像１６を送信する処理の手順について説明する。送信処理が開始されると、Ｓ１０１において、画像送信装置１０は、図示しない操作入力部や表示部などを用いて、ユーザに対してアドレス帳から送信先を選択させる。
【００７８】
Ｓ１０２において、画像送信装置１０は、ユーザに対して画像入力部２８を用いて送信する原稿画像（元画像１２）を入力させる。Ｓ１０３において、画像送信装置１０は、暗号化データ作成部２３を用いて、発生させた乱数から暗号化データ、ここではマスクデータ（マスク画像１４）を作成する。
【００７９】
Ｓ１０４において、メール通信部２４は、Ｓ１０１で選択した送信先に対して、Ｓ１０３で作成したマスク画像１４を送付する為のメールの作成を行う。なお、ここではマスク画像１４はメールの添付ファイルとして送付するが、これに限るものではない。
【００８０】
Ｓ１０５において、暗号化画像作成部２２は、Ｓ１０２で画像入力部２８から入力された原稿画像と、Ｓ１０３で暗号化データ作成部２３によって作成されたマスク画像１４とを用いて暗号化画像１６を作成する。なお、暗号化画像１６の作成方法について具体例は後述する。
【００８１】
Ｓ１０６において、ＦＡＸ通信部２６は、送信する暗号化画像１６に割り当てる識別子として、ランダムな照会番号を設定する。ここでは、ランダムな数字の組み合わせとするが、電話回線で送信可能な文字・記号や、ダイヤルトーン・コントロールコードなどを用いても良い。Ｓ１０７において、ＦＡＸ通信部２６は、発信元番号と照会番号とを組み合わせて、発信元情報を作成する。
【００８２】
Ｓ１０８において、メール通信部２４は、Ｓ１０７で作成した発信元情報に基づいてメールの件名および添付ファイル名を設定する。ここでは、照会番号をそのままメールの件名および添付ファイル名と使用するものとするが、これに限るものではない。
【００８３】
Ｓ１０９において、メール通信部２４は、Ｓ１０３で作成したマスク画像１４をＳ１０４で作成したメールに添付する。マスク画像１４を添付したメールは、Ｓ１１１においてメール通信部２４によって送信され、メールの送信処理を終了する。
【００８４】
Ｓ１１０において、Ｓ１０１でアドレス帳から選択した送信先のＦＡＸ番号に対して、ＦＡＸ通信部２６を用いて発呼する。送信先のＦＡＸ番号から応答があれば、Ｓ１１２において、ＦＡＸ通信部２６は、Ｓ１０７で作成した発信元情報を付加したうえで暗号化画像１６の送信を行う。ここでは、発信元情報は電話番号通知情報内のサブアドレス情報として付加するが、これに限るものではない。
【００８５】
Ｓ１１２において、ＦＡＸ通信部２６は、発信元情報を付加して暗号化画像１６を送信し、ＦＡＸの送信処理を終了する。
【００８６】
次に、図６を用いて暗号化画像１６を受信し、元画像１２に復元する処理の手順について説明する。受信処理が開始されると、Ｓ２０１において、暗号化画像入力部５４は、電話回線３４を用いて受信した暗号化画像データの入力を行う。
【００８７】
なお、本実施形態では電話回線３４を用いてＦＡＸ画像データをＦＡＸデータ通信によって受信する例を示したが、これにかぎるものではない。画像データを通常のＦＡＸ装置の受信機能を用いて受信した後に用紙にプリントアウトし、プリントアウトされた暗号化画像１６をスキャナで取り込み、ＰＣなどで暗号化画像データを復元するような構成であってもよい。
【００８８】
Ｓ２０２において、画像受信装置４０は、ユーザによって入力操作部（図示せず）から照会番号が入力されるのを受け付ける。照会番号の入力がない場合には（Ｓ２０２でＮＯ）、Ｓ２０２の処理の最初に戻って照会番号の入力待ち状態を繰り返す。
【００８９】
Ｓ２０３において、画像受信装置４０は、ＦＡＸの受信リストからＳ２０２で入力された照会番号に対応する通信内容を検索する。照会番号と一致するＦＡＸの受信リストが存在しない場合（Ｓ２０４でＮＯ）、エラーメッセージを表示し（Ｓ２０７）、受信処理を強制終了する。照会番号と一致するＦＡＸの受信リストが存在した場合（Ｓ２０４でＹＥＳ）、処理はＳ２０５へ進む。
【００９０】
Ｓ２０５において、画像受信装置４０は、図示しない表示部に「照合ＯＫ。復元キーを入力して下さい」といった、暗号化画像１６の復元に必要なマスク画像１４の入力を促すメッセージを表示する。ユーザは、このメッセージに従って、メモリカード３６を用いてマスク画像１４を画像受信装置４０の暗号化データ入力部５６に入力する。
【００９１】
Ｓ２０６において、暗号化データ入力部５６に入力されたマスク画像１４が復元に用いられる適切なデータファイルであるか判断する。適切なデータファイルの場合（Ｓ２０６でＹＥＳ）、処理はＳ２０８に進む。不適切なデータファイルの場合（Ｓ２０６でＮＯ）、エラーメッセージを表示し（Ｓ２０７）、受信処理を強制終了する。
【００９２】
Ｓ２０８において、画像変換装置５０は、暗号化画像入力部５４で受信した暗号化画像データのファイルから、Ｓ２０２で入力された照会番号と対応する受信画像ファイルを呼び出す。Ｓ２０９において、画像変換装置５０の暗号化画像復号部５２は、Ｓ２０８で呼び出した受信画像ファイルと、ユーザによって入力されたマスク画像１４とに基づいて元画像１２を復元する。
【００９３】
Ｓ２１０において、画像受信装置４０の画像出力部５８は、復元した元画像１２を用紙に印刷して出力する。なお、ここでは、画像受信装置４０をＦＡＸ受信機とし、画像出力部５８は用紙に印刷して画像を出力するものとしたが、これに限るものではない。表示部にデータを画像表示するものであってもよいし、ＰＤＦやＴＩＦＦ形式の画像データとしてメモリやメモリカードに保存するものであってもよい。
【００９４】
次に、図７を参照して、入力した画像を暗号化し、復元する手順について説明する。図７（ａ）は、元画像１２およびマスク画像１４を作成し、暗号化画像１６を作成する手順を示した概念図である。図７（ｂ）は、暗号化画像１６およびマスク画像１４に基づいて、元画像１２を復元する手順を示した概念図である。
【００９５】
まず、暗号化画像１６を作成する手順について説明する。画像入力部２８は、送信する元画像１２をスキャンして画像データとする。暗号化データ作成部２３は、元画像１２のサイズにあわせて、乱数発生部で生成した乱数データを元画像１２のサイズに合わせてマスク画像１４を作成する。なお、マスク画像１４は、暗号化したい画像領域に合わせて適切に作成するものとする。
【００９６】
元画像１２およびマスク画像１４の処理として、入力および生成した画像データに対して、ここでは排他的論理和（ＥＸＯＲ）の論理演算を行うことによって暗号化画像１６の作成を行っている。図７（ａ）の画像領域のうち、白ドットは「０」を、黒ドットは「１」を表している。
【００９７】
元画像１２およびマスク画像１４の同じ画像領域を重ね合わせることで、同一座標の画素ごとにＥＸＯＲの論理演算を行い、その演算結果を暗号化画像１６として出力している。なお、ＥＸＯＲの論理演算では、ＥＸＯＲ=（Ａ＊ＮＯＴ（Ｂ））＋（ＮＯＴ（Ａ）＊Ｂ）の計算式を用いて画像処理を行っている。この結果、以下のような画素の反転が行われる。
【００９８】
１（黒）  ＸＯＲ  １（黒）＝０（白）
０（白）  ＸＯＲ  ０（白）＝０（白）
１（黒）  ＸＯＲ  ０（白）＝１（黒）
０（白）  ＸＯＲ  １（黒）＝１（白）
次に、暗号化画像１６から元画像１２を復元する手順について説明する。暗号化画像入力部５４は、電話回線３４を介して暗号化画像データ（暗号化画像１６）を受信する。暗号化データ入力部５６は、通信ネットワーク３２、ＰＣ６０およびメモリカード３６を経由して、メール形式で送信された暗号化データ（マスク画像１４）を受信する。
【００９９】
暗号化画像１６およびマスク画像１４から、元画像１２の復元を行う。ここでは、暗号化でおこなったＥＸＯＲの論理演算を再度、逆に行うことによって元画像１２の復元を行っている。図７（ｂ）の画像領域でも同様に、白ドットは「０」を、黒ドットは「１」を表している。
【０１００】
暗号化画像１６およびマスク画像１４の同じ画像領域を重ね合わせることで、同一座標の画素ごとにＥＸＯＲの論理演算を行い、その演算結果を元画像１２として復元している。なお、ＥＸＯＲの論理演算は、暗号化と同様の演算方法を行う。
【０１０１】
次に、画像送受信システム１を用いて送信した画像を受信し、復元する際に行われる画像ファイルの照合処理について説明する。図８は、電話回線を通じて送信されたＦＡＸ画像である暗号化画像１６と、電子メールに添付されて送信されたマスク画像１４とを、ＦＡＸ受信リストに記録した照会番号に基づいて照合する処理の手順を示した概念図である。
【０１０２】
まず、始めに、ＦＡＸを用いて送信する元画像１２を画像送信装置１０で取り込む。この際、ＦＡＸを送信する送信元のＦＡＸ番号は「０６−６ｘｘｘ−ｘｘｘｘ」であり、ＦＡＸを送信する際に送信したＦＡＸを識別するための整理番号として照会番号「７２５９１１０」を割り当てる。ここでは、照合番号として、送信元が発信ごとにランダムの数字を自動的に割り当てるものとする。
【０１０３】
なお、この照会番号は、画像送信装置１０のＦＡＸ通信部２６が連番で順に割り当てていっても良いし、所定の暗号化手法や乱数を用いて予想しにくい数列を作成しても良い。また、数字ではなく記号やコントロールコードの組み合わせであっても良い。
【０１０４】
次に、図７（ａ）で説明した暗号化の手順をもちいて、マスク画像１４および暗号化画像１６を作成する。作成した暗号化画像１６は、電話回線３４を介してＦＡＸ通信を用いて送信し、マスク画像１４は通信ネットワーク３２を介してメール形式で送信される。
【０１０５】
ここで、暗号化画像１６は、着信情報として電話番号のサブアドレスの領域に照会番号「７２５９１１０」が付加されて送信される。具体的には、ＦＡＸ発信元情報として、「０６-６ｘｘｘ-ｘｘｘｘ＿７２５９１１０」といった形式でＦＡＸ受信機側に発信元情報として発呼および着呼される。このデータフォーマットは、［発信元情報］＝［発信元番号］＿［照会番号］の形式で表され、発信元番号としては発信者のＦＡＸ番号などが用いられる。
【０１０６】
これらの着呼情報を含んだＦＡＸ受信状況は、ＦＡＸ受信リストとして画像受信装置４０に記録される。具体的には、発信元番号として「０３−３ｙｙｙ−ｙｙｙｙ」、「０６−６ｘｘｘ−ｘｘｘｘ」、「０７４３−ｚｚ−ｚｚｚｚ」が、受信日として「２００６／１１／０４」、「２００６／１１／０５」、「２００６／１１／０５」が、セキュリティフラグとして「ＮＯ」、「ＹＥＳ」、「ＹＥＳ」が、照会番号として「ＮＯＴＨＩＮＧ」、「７２５９１００」、「８９０１０２４」が記録されている。
【０１０７】
ここで、セキュリティフラグとは、該当するＦＡＸ受信が暗号化されて送信されているかどうかを示すフラグである。１件目の「０３−３ｙｙｙ−ｙｙｙｙ」からの着信のセキュリティフラグは「ＮＯ」であり、暗号化されずにＦＡＸが送信されていることを示している。そのため、当該ＦＡＸ受信の照会番号は設定されず「ＮＯＴＨＩＮＧ」となっている。
【０１０８】
これに対して、「２００６／１１／０５」、「２００６／１１／０５」からの着信のセキュリティフラグは「ＹＥＳ」であり、それぞれ「７２５９１００」、「８９０１０２４」の照会番号で送信されていることがＦＡＸ受信リストに記録されている。
【０１０９】
上記のＦＡＸ通信で送信される暗号化画像１６に対して、マスク画像１４は電子メールの添付ファイルとして通信ネットワーク３２を介して送信される。図５のＳ１０４で作成された電子メールには、Ｓ１０８で、照会番号と同じ名前でメールの件名および添付ファイルのファイル名が設定される。ここでは、メールの件名として「７２５９１００」が、メールに添付する画像ファイルのファイル名として「７２５９１００．ｔｉｆ」が設定されている。
【０１１０】
受信先は、受信したＦＡＸ画像を受信日時および発信元情報を用いて受信リストとして管理している。なお、セキュリティを高めるため、画像受信装置４０側では照会番号を表示せず、ユーザから適合する照会番号を入力されることで初めて当該照会番号に対応するＦＡＸ画像が受信されていることを表示するようにしてもよい。
【０１１１】
上記のメールは、受信先のＰＣ６０で受信され、メモリカード３６を介して画像受信装置４０に入力される。このメールには、件名（Subject）として「７２５９１００」が設定され、本文として「添付画像にて発信元番号からのＦＡＸ画像を復元して下さい。」という簡単な解説が、添付ファイルとしてマスク画像１４が、ここではＴＩＦＦ形式の画像データとして、「７２５９１００．ｔｉｆ」のファイル名で添付されている。
【０１１２】
ユーザは、受信したメールを参照し、照会番号「７２５９１１０」を画像受信装置４０の操作入力部などを用いて入力する（図６のＳ２０２）。画像受信装置４０は、入力された照会番号の検索を行い（図６のＳ２０３）、一致する照会番号がＦＡＸ受信リストに存在する場合は、復元キーとしてマスク画像１４を入力するようにユーザに対して促す（図６のＳ２０５）。
【０１１３】
なお、照会番号の認証回数に制限を設け、制限を越えた場合に画像受信装置における当該ＦＡＸ画像に対する操作をロックすることで、セキュリティを高める構成としてもよい。
【０１１４】
最後に、画像受信装置４０の暗号化画像復号部５２は、入力されたマスク画像１４と、対応する照会番号のＦＡＸ受信ファイルとして保存されている暗号化画像１６とを用いて元画像１２を復元し、画像出力部５８を用いて出力する（図６のＳ２１０）。
【０１１５】
なお、上述の実施形態では、送信元の画像送信装置１０から受信先のＰＣ６０に通信ネットワーク３２を介して暗号化データを送信し、ＰＣ６０から受信先の画像受信装置４０へメモリカード３６を経由して暗号化データを入力する例をあげたが、これに限るものではない。画像受信装置４０が、ＰＣ６０のメール通信部６２の機能を備え、メモリカード３６を経由せずに直接暗号化データを入力してもよい。
【０１１６】
上記のようにＰＣ６０およびメモリカード３６を経由して暗号化データを入力する場合には、ＰＣが一般的に個人に割り当てられ、ＦＡＸ装置が部門やフロアなどで共有されることが多いことから、個人のＰＣ宛てにメールで暗号化データを送信することで、よりセキュリティを高めることができるので効果が大きい。
【０１１７】
また、本実施形態では、通信ネットワーク３２を介して暗号化データを送信し、電話回線３４を介して暗号化画像データを送信する構成としたが、これに限るものではない。通信ネットワーク３２を介して暗号化画像データを送信してもよいし、電話回線３４を介して暗号化データを送信してもよい。あるいは、同じ通信回線を用いて、例えば、別の電話番号や別のメールアドレスといった別々の宛先にデータを送付し、別々の宛先で受信したデータを画像受信装置にて処理することで、元画像データを復元する構成であってもよい。
【０１１８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１１９】
最後に、本発明の画像送受信システム１を構成する画像送信装置１０、画像受信装置４０、およびＰＣ６０の各ブロック、特に画像変換装置２０および画像変換装置５０は、ハードウェアロジックによって構成してもよいし、次のようにＣＰＵを用いてソフトウェアによって実現してもよい。
【０１２０】
すなわち、画像送受信システム１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像送受信システム１の制御プログラムのプログラムコード（実行形式プログラム、中間コードプログラム、ソースプログラム）をコンピュータで読み取り可能に記録した記録媒体を、上記画像送受信システム１に供給し、そのコンピュータ（またはＣＰＵやＭＰＵ）が記録媒体に記録されているプログラムコードを読み出し実行することによっても、達成可能である。
【０１２１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２２】
また、画像送受信システム１を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２３】
本発明によれば、暗号化画像データまたは暗号化データが別の通信回線を用いて送信されることで送信する画像データのセキュリティを高めて、いずれかのデータが盗用された場合でも内容の復元が困難な通信を行いつつ、特にユーザがセキュリティを高めたいと思われる画像領域のみに暗号化を行うことで、受信する側にとって必要とされる情報は暗号化を行わず、ユーザの任意の強度でセキュリティを高めることできる。
【０１２４】
これによって、画像の送受信においてセキュリティを高め、かつ、文書の識別や取り扱いを容易にすることができるという効果があるので、ＦＡＸ装置、メール送受信端末、ＶＰＮ（Virtual Private Network）などをはじめとした画像データを送受信する通信システムにおけるセキュリティの確保に対して好適に利用することができる。
【図面の簡単な説明】
【０１２５】
【図１】本発明の実施形態を示すものであり、画像送受信システムの要部構成を示すブロック図である。
【図２】上記画像送受信システムにおいて、実際に画像を送受信する際の流れを示した概念図である。
【図３】上記画像送受信システムにおける画像送信装置のハードウェア構成の一例を示すブロック図である。
【図４】上記画像送信装置で用いられるアドレス帳データの一例で、アドレス帳におけるデータの保存形式を示す表である。
【図５】上記画像送受信システムにおいて、画像送信装置が暗号化画像を送信する手順を示したフロー図である。
【図６】上記画像送受信システムにおいて、画像受信装置が暗号化画像を受信する際の処理の手順を示したフロー図である。
【図７】（ａ）は、上記画像送受信システムにおいて、元画像およびマスク画像を処理して暗号化画像とする処理を、（ｂ）は、上記画像送受信システムにおいて、暗号化画像およびマスク画像から元画像を復元する処理を示した概念図である。
【図８】上記画像送受信システムにおいて、画像受信装置が暗号化画像を受信する際の処理の概要を示した概念図である。
【符号の説明】
【０１２６】
１      画像送受信システム
１０    画像送信装置
１２    元画像
１４    マスク画像
１６    暗号化画像
２０    画像変換装置（画像暗号化装置）
２２    暗号化画像作成部（暗号化画像作成手段）
２３    暗号化データ作成部（暗号化データ作成手段）
２４    メール通信部
２６    ＦＡＸ通信部
２８    画像入力部（画像入力手段）
３２    通信ネットワーク（第１の通信回線）
３４    電話回線（第２の通信回線）
３６    メモリカード（外部メモリ）
４０    画像受信装置
５０    画像変換装置（画像復号化装置）
５２    暗号化画像復号部
５４    暗号化画像入力部
５６    暗号化データ入力部
５８    画像出力部
６０    ＰＣ
６２    メール通信部
６４    メモリカード書込部
【図１】
2008283496.tif 000003
【図２】
2008283496.tif 000004
【図３】
2008283496.tif 000005
【図４】
2008283496.tif 000006
【図５】
2008283496.tif 000007
【図６】
2008283496.tif 000008
【図７】
2008283496.tif 000009
【図８】
2008283496.tif 000010